【手続補正書】
【提出日】令和3年5月28日(2021.5.28)
【手続補正１】
【補正対象書類名】明細書
【補正対象項目名】発明の名称
【補正方法】変更
【補正の内容】
【発明の名称】ゲートドライバ、表示装置
【手続補正２】
【補正対象書類名】特許請求の範囲
【補正対象項目名】全文
【補正方法】変更
【補正の内容】
【特許請求の範囲】
【請求項１】
少なくとも第１乃至第８のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続されるゲートドライバ。
【請求項２】
少なくとも第１乃至第８のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きいゲートドライバ。
【請求項３】
請求項１又は請求項２において、
前記第１乃至前記第８のトランジスタは、同じ極性であるゲートドライバ。
【請求項４】
ゲートドライバと、前記ゲートドライバと同じ基板に形成されている画素部と、を有し、
前記ゲートドライバは、少なくとも第１乃至第８のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記画素は、少なくとも第９のトランジスタと、第１０のトランジスタと、発光素子と、前記発光素子に流れる電流を供給する機能を有する配線と、を有し、
前記発光素子に電流を供給する機能を有する配線は、前記第９のトランジスタのソース又はドレインの一方と電気的に接続され、
前記第９のトランジスタのソース又はドレインの他方は、前記第１０のトランジスタのソース又はドレインの一方と電気的に接続され、
前記第１０のトランジスタのソース又はドレインの他方は、前記発光素子と電気的に接続され、
前記第９のトランジスタのゲート又は前記第１０のトランジスタのゲートの一方は、前記第１の配線と電気的に接続される表示装置。
【請求項５】
ゲートドライバと、前記ゲートドライバと同じ基板に形成されている画素部と、を有し、
前記ゲートドライバは、少なくとも第１乃至第８のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きく、
前記画素は、少なくとも第９のトランジスタと、第１０のトランジスタと、発光素子と、前記発光素子に流れる電流を供給する機能を有する配線と、を有し、
前記発光素子に電流を供給する機能を有する配線は、前記第９のトランジスタのソース又はドレインの一方と電気的に接続され、
前記第９のトランジスタのソース又はドレインの他方は、前記第１０のトランジスタのソース又はドレインの一方と電気的に接続され、
前記第１０のトランジスタのソース又はドレインの他方は、前記発光素子と電気的に接続され、
前記第９のトランジスタのゲート又は前記第１０のトランジスタのゲートの一方は、前記第１の配線と電気的に接続される表示装置。
【請求項６】
請求項４又は請求項５において、前記第１乃至第１０のトランジスタは、同じ極性である表示装置。
【請求項７】
少なくとも第１乃至第１６のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続されるゲートドライバ。
【請求項８】
少なくとも第１乃至第１６のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きく、
前記第９のトランジスタのＷ／Ｌは、前記第１１のトランジスタのＷ／Ｌよりも大きく、
前記第９のトランジスタのＷ／Ｌは、前記第１２のトランジスタのＷ／Ｌよりも大きく、
前記第９のトランジスタのＷ／Ｌは、前記第１３のトランジスタのＷ／Ｌよりも大きく、
前記第９のトランジスタのＷ／Ｌは、前記第１４のトランジスタのＷ／Ｌよりも大きく、
前記第９のトランジスタのＷ／Ｌは、前記第１５のトランジスタのＷ／Ｌよりも大きく、
前記第９のトランジスタのＷ／Ｌは、前記第１６のトランジスタのＷ／Ｌよりも大きく、
前記第１０のトランジスタのＷ／Ｌは、前記第１２のトランジスタのＷ／Ｌよりも大きく、
前記第１３のトランジスタのＷ／Ｌは、前記第１６のトランジスタのＷ／Ｌよりも大きいゲートドライバ。
【請求項９】
請求項７又は請求項８において、
前記第１乃至前記第１６のトランジスタは、同じ極性であるゲートドライバ。
【請求項１０】
ゲートドライバと、前記ゲートドライバと同じ基板に形成されている画素部と、を有し、
前記ゲートドライバは、少なくとも第１乃至第１６のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記画素は、少なくとも第１７のトランジスタと、第１８のトランジスタと、発光素子と、前記発光素子に流れる電流を供給する機能を有する配線と、を有し、
前記発光素子に電流を供給する機能を有する配線は、前記第１７のトランジスタのソース又はドレインの一方と電気的に接続され、
前記第１７のトランジスタのソース又はドレインの他方は、前記第１８のトランジスタのソース又はドレインの一方と電気的に接続され、
前記第１８のトランジスタのソース又はドレインの他方は、前記発光素子と電気的に接続され、
前記第１７のトランジスタのゲート又は前記第１８のトランジスタのゲートの一方は、前記第１の配線又は前記第６の配線と電気的に接続される表示装置。
【請求項１１】
ゲートドライバと、前記ゲートドライバと同じ基板に形成されている画素部と、を有し、
前記ゲートドライバは、少なくとも第１乃至第１６のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きく、
前記第９のトランジスタのＷ／Ｌは、前記第１１のトランジスタのＷ／Ｌよりも大きく、
前記第９のトランジスタのＷ／Ｌは、前記第１２のトランジスタのＷ／Ｌよりも大きく、
前記第９のトランジスタのＷ／Ｌは、前記第１３のトランジスタのＷ／Ｌよりも大きく、
前記第９のトランジスタのＷ／Ｌは、前記第１４のトランジスタのＷ／Ｌよりも大きく、
前記第９のトランジスタのＷ／Ｌは、前記第１５のトランジスタのＷ／Ｌよりも大きく、
前記第９のトランジスタのＷ／Ｌは、前記第１６のトランジスタのＷ／Ｌよりも大きく、
前記第１０のトランジスタのＷ／Ｌは、前記第１２のトランジスタのＷ／Ｌよりも大きく、
前記第１３のトランジスタのＷ／Ｌは、前記第１６のトランジスタのＷ／Ｌよりも大きく、
前記画素は、少なくとも第１７のトランジスタと、第１８のトランジスタと、発光素子と、前記発光素子に流れる電流を供給する機能を有する配線と、を有し、
前記発光素子に電流を供給する機能を有する配線は、前記第１７のトランジスタのソース又はドレインの一方と電気的に接続され、
前記第１７のトランジスタのソース又はドレインの他方は、前記第１８のトランジスタのソース又はドレインの一方と電気的に接続され、
前記第１８のトランジスタのソース又はドレインの他方は、前記発光素子と電気的に接続され、
前記第１７のトランジスタのゲート又は前記第１８のトランジスタのゲートの一方は、前記第１の配線又は前記第６の配線と電気的に接続される表示装置。
【請求項１２】
請求項１０又は請求項１１において、前記第１乃至第１８のトランジスタは、同じ極性である表示装置。
【請求項１３】
少なくとも第１乃至第２４のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１７のトランジスタのソース又はドレインの一方は、前記第１の電源線と電気的に接続され、
前記第１７のトランジスタのソース又はドレインの他方は、第８の配線と電気的に接続され、
前記第１８のトランジスタのソース又はドレインの一方は、前記第２の電源線と電気的に接続され、
前記第１８のトランジスタのソース又はドレインの他方は、前記第８の配線と電気的に接続され、
前記第１９のトランジスタのソース又はドレインの一方は、前記第１７のトランジスタのゲートと電気的に接続され、
前記第１９のトランジスタのゲートは、前記第２の配線と電気的に接続され、
前記第２０のトランジスタのソース又はドレインの一方は、前記第２の電源線と電気的に接続され、
前記第２０のトランジスタのソース又はドレインの他方は、前記第１９のトランジスタのソース又はドレインの一方と電気的に接続され、
前記第２０のトランジスタのゲートは、第９の配線と電気的に接続され、
前記第２１のトランジスタのソース又はドレインの一方は、前記第３の配線と電気的に接続され、
前記第２１のトランジスタのソース又はドレインの他方は、前記第１８のトランジスタのゲートと電気的に接続され、
前記第２１のトランジスタのソース又はドレインの他方は、前記第９の配線と電気的に接続され、
前記第２２のトランジスタのソース又はドレインの一方は、前記第２の電源線と電気的に接続され、
前記第２２のトランジスタのソース又はドレインの他方は、前記第１８のトランジスタのゲートと電気的に接続され、
前記第２２のトランジスタのゲートは、前記第１９のトランジスタのソース又はドレインの一方と電気的に接続され、
前記第２３のトランジスタのソース又はドレインの一方は、前記第２１のトランジスタのゲートと電気的に接続され、
前記第２３のトランジスタのゲートは、前記第１の電源線と電気的に接続され、
前記第２４のトランジスタのソース又はドレインの一方は、前記第７の配線と電気的に接続され、
前記第２４のトランジスタのソース又はドレインの他方は、前記第２３のトランジスタのソース又はドレインの他方と電気的に接続され、
前記第２４のトランジスタのゲートは、前記第２の配線と電気的に接続されるゲートドライバ。
【請求項１４】
少なくとも第１乃至第２４のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１７のトランジスタのソース又はドレインの一方は、前記第１の電源線と電気的に接続され、
前記第１７のトランジスタのソース又はドレインの他方は、第８の配線と電気的に接続され、
前記第１８のトランジスタのソース又はドレインの一方は、前記第２の電源線と電気的に接続され、
前記第１８のトランジスタのソース又はドレインの他方は、前記第８の配線と電気的に接続され、
前記第１９のトランジスタのソース又はドレインの一方は、前記第１７のトランジスタのゲートと電気的に接続され、
前記第１９のトランジスタのゲートは、前記第２の配線と電気的に接続され、
前記第２０のトランジスタのソース又はドレインの一方は、前記第２の電源線と電気的に接続され、
前記第２０のトランジスタのソース又はドレインの他方は、前記第１９のトランジスタのソース又はドレインの一方と電気的に接続され、
前記第２０のトランジスタのゲートは、第９の配線と電気的に接続され、
前記第２１のトランジスタのソース又はドレインの一方は、前記第３の配線と電気的に接続され、
前記第２１のトランジスタのソース又はドレインの他方は、前記第１８のトランジスタのゲートと電気的に接続され、
前記第２１のトランジスタのソース又はドレインの他方は、前記第９の配線と電気的に接続され、
前記第２２のトランジスタのソース又はドレインの一方は、前記第２の電源線と電気的に接続され、
前記第２２のトランジスタのソース又はドレインの他方は、前記第１８のトランジスタのゲートと電気的に接続され、
前記第２２のトランジスタのゲートは、前記第１９のトランジスタのソース又はドレインの一方と電気的に接続され、
前記第２３のトランジスタのソース又はドレインの一方は、前記第２１のトランジスタのゲートと電気的に接続され、
前記第２３のトランジスタのゲートは、前記第１の電源線と電気的に接続され、
前記第２４のトランジスタのソース又はドレインの一方は、前記第７の配線と電気的に接続され、
前記第２４のトランジスタのソース又はドレインの他方は、前記第２３のトランジスタのソース又はドレインの他方と電気的に接続され、
前記第２４のトランジスタのゲートは、前記第２の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きく、
前記第９のトランジスタのＷ／Ｌは、前記第１１のトランジスタのＷ／Ｌよりも大きく、
前記第９のトランジスタのＷ／Ｌは、前記第１２のトランジスタのＷ／Ｌよりも大きく、
前記第９のトランジスタのＷ／Ｌは、前記第１３のトランジスタのＷ／Ｌよりも大きく、
前記第９のトランジスタのＷ／Ｌは、前記第１４のトランジスタのＷ／Ｌよりも大きく、
前記第９のトランジスタのＷ／Ｌは、前記第１５のトランジスタのＷ／Ｌよりも大きく、
前記第９のトランジスタのＷ／Ｌは、前記第１６のトランジスタのＷ／Ｌよりも大きく、
前記第１０のトランジスタのＷ／Ｌは、前記第１２のトランジスタのＷ／Ｌよりも大きく、
前記第１３のトランジスタのＷ／Ｌは、前記第１６のトランジスタのＷ／Ｌよりも大きく、
前記第１７のトランジスタのＷ／Ｌは、前記第１９のトランジスタのＷ／Ｌよりも大きく、
前記第１７のトランジスタのＷ／Ｌは、前記第２０のトランジスタのＷ／Ｌよりも大きく、
前記第１７のトランジスタのＷ／Ｌは、前記第２１のトランジスタのＷ／Ｌよりも大きく、
前記第１７のトランジスタのＷ／Ｌは、前記第２２のトランジスタのＷ／Ｌよりも大きく、
前記第１７のトランジスタのＷ／Ｌは、前記第２３のトランジスタのＷ／Ｌよりも大きく、
前記第１７のトランジスタのＷ／Ｌは、前記第２４のトランジスタのＷ／Ｌよりも大きく、
前記第１８のトランジスタのＷ／Ｌは、前記第２０のトランジスタのＷ／Ｌよりも大きく、
前記第２１のトランジスタのＷ／Ｌは、前記第２４のトランジスタのＷ／Ｌよりも大きいゲートドライバ。
【請求項１５】
請求項１３又は請求項１４において、
前記第１乃至前記第２４のトランジスタは、同じ極性であるゲートドライバ。
【請求項１６】
ゲートドライバと、前記ゲートドライバと同じ基板に形成されている画素部と、を有し、
前記ゲートドライバは、少なくとも第１乃至第２４のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１７のトランジスタのソース又はドレインの一方は、前記第１の電源線と電気的に接続され、
前記第１７のトランジスタのソース又はドレインの他方は、第８の配線と電気的に接続され、
前記第１８のトランジスタのソース又はドレインの一方は、前記第２の電源線と電気的に接続され、
前記第１８のトランジスタのソース又はドレインの他方は、前記第８の配線と電気的に接続され、
前記第１９のトランジスタのソース又はドレインの一方は、前記第１７のトランジスタのゲートと電気的に接続され、
前記第１９のトランジスタのゲートは、前記第２の配線と電気的に接続され、
前記第２０のトランジスタのソース又はドレインの一方は、前記第２の電源線と電気的に接続され、
前記第２０のトランジスタのソース又はドレインの他方は、前記第１９のトランジスタのソース又はドレインの一方と電気的に接続され、
前記第２０のトランジスタのゲートは、第９の配線と電気的に接続され、
前記第２１のトランジスタのソース又はドレインの一方は、前記第３の配線と電気的に接続され、
前記第２１のトランジスタのソース又はドレインの他方は、前記第１８のトランジスタのゲートと電気的に接続され、
前記第２１のトランジスタのソース又はドレインの他方は、前記第９の配線と電気的に接続され、
前記第２２のトランジスタのソース又はドレインの一方は、前記第２の電源線と電気的に接続され、
前記第２２のトランジスタのソース又はドレインの他方は、前記第１８のトランジスタのゲートと電気的に接続され、
前記第２２のトランジスタのゲートは、前記第１９のトランジスタのソース又はドレインの一方と電気的に接続され、
前記第２３のトランジスタのソース又はドレインの一方は、前記第２１のトランジスタのゲートと電気的に接続され、
前記第２３のトランジスタのゲートは、前記第１の電源線と電気的に接続され、
前記第２４のトランジスタのソース又はドレインの一方は、前記第７の配線と電気的に接続され、
前記第２４のトランジスタのソース又はドレインの他方は、前記第２３のトランジスタのソース又はドレインの他方と電気的に接続され、
前記第２４のトランジスタのゲートは、前記第２の配線と電気的に接続され、
前記画素は、少なくとも第２５のトランジスタと、第２６のトランジスタと、発光素子と、前記発光素子に流れる電流を供給する機能を有する配線と、を有し、
前記発光素子に電流を供給する機能を有する配線は、前記第２５のトランジスタのソース又はドレインの一方と電気的に接続され、
前記第２５のトランジスタのソース又はドレインの他方は、前記第２６のトランジスタのソース又はドレインの一方と電気的に接続され、
前記第２６のトランジスタのソース又はドレインの他方は、前記発光素子と電気的に接続され、
前記第２５のトランジスタのゲート又は前記第２６のトランジスタのゲートの一方は、前記第１の配線、前記第６の配線又は前記第８の配線と電気的に接続される表示装置。
【請求項１７】
ゲートドライバと、前記ゲートドライバと同じ基板に形成されている画素部と、を有し、
前記ゲートドライバは、少なくとも第１乃至第２４のトランジスタを有し、
前記第１のトランジスタのソース又はドレインの一方は、第１の電源線と電気的に接続され、
前記第１のトランジスタのソース又はドレインの他方は、第１の配線と電気的に接続され、
前記第２のトランジスタのソース又はドレインの一方は、第２の電源線と電気的に接続され、
前記第２のトランジスタのソース又はドレインの他方は、前記第１の配線と電気的に接続され、
前記第３のトランジスタのソース又はドレインの一方は、前記第１のトランジスタのゲートと電気的に接続され、
前記第３のトランジスタのゲートは、第１のクロック信号が入力される第２の配線と電気的に接続され、
前記第４のトランジスタのソース又はドレインの一方は、前記第２の電源線と電気的に接続され、
前記第４のトランジスタのソース又はドレインの他方は、前記第３のトランジスタのソース又はドレインの一方と電気的に接続され、
前記第４のトランジスタのゲートは、第４の配線と電気的に接続され、
前記第５のトランジスタのソース又はドレインの一方は、第２のクロック信号が入力される第３の配線と電気的に接続され、
前記第５のトランジスタのソース又はドレインの他方は、前記第２のトランジスタのゲートと電気的に接続され、
前記第５のトランジスタのソース又はドレインの他方は、前記第４の配線と電気的に接続され、
前記第６のトランジスタのソース又はドレインの一方は、前記第２の電源線と電気的に接続され、
前記第６のトランジスタのソース又はドレインの他方は、前記第２のトランジスタのゲートと電気的に接続され、
前記第６のトランジスタのゲートは、前記第３のトランジスタのソース又はドレインの一方と電気的に接続され、
前記第７のトランジスタのソース又はドレインの一方は、前記第５のトランジスタのゲートと電気的に接続され、
前記第７のトランジスタのゲートは、前記第１の電源線と電気的に接続され、
前記第８のトランジスタのソース又はドレインの一方は、第５の配線と電気的に接続され、
前記第８のトランジスタのソース又はドレインの他方は、前記第７のトランジスタのソース又はドレインの他方と電気的に接続され、
前記第８のトランジスタのゲートは、前記第２の配線と電気的に接続され、
前記第９のトランジスタのソース又はドレインの一方は、前記第１の電源線と電気的に接続され、
前記第９のトランジスタのソース又はドレインの他方は、第６の配線と電気的に接続され、
前記第１０のトランジスタのソース又はドレインの一方は、前記第２の電源線と電気的に接続され、
前記第１０のトランジスタのソース又はドレインの他方は、前記第６の配線と電気的に接続され、
前記第１１のトランジスタのソース又はドレインの一方は、前記第９のトランジスタのゲートと電気的に接続され、
前記第１１のトランジスタのゲートは、前記第３の配線と電気的に接続され、
前記第１２のトランジスタのソース又はドレインの一方は、前記第２の電源線と電気的に接続され、
前記第１２のトランジスタのソース又はドレインの他方は、前記第１１のトランジスタのソース又はドレインの一方と電気的に接続され、
前記第１２のトランジスタのゲートは、第７の配線と電気的に接続され、
前記第１３のトランジスタのソース又はドレインの一方は、前記第２の配線と電気的に接続され、
前記第１３のトランジスタのソース又はドレインの他方は、前記第１０のトランジスタのゲートと電気的に接続され、
前記第１３のトランジスタのソース又はドレインの他方は、前記第７の配線と電気的に接続され、
前記第１４のトランジスタのソース又はドレインの一方は、前記第２の電源線と電気的に接続され、
前記第１４のトランジスタのソース又はドレインの他方は、前記第１０のトランジスタのゲートと電気的に接続され、
前記第１４のトランジスタのゲートは、前記第１１のトランジスタのソース又はドレインの一方と電気的に接続され、
前記第１５のトランジスタのソース又はドレインの一方は、前記第１３のトランジスタのゲートと電気的に接続され、
前記第１５のトランジスタのゲートは、前記第１の電源線と電気的に接続され、
前記第１６のトランジスタのソース又はドレインの一方は、前記第４の配線と電気的に接続され、
前記第１６のトランジスタのソース又はドレインの他方は、前記第１５のトランジスタのソース又はドレインの他方と電気的に接続され、
前記第１６のトランジスタのゲートは、前記第３の配線と電気的に接続され、
前記第１７のトランジスタのソース又はドレインの一方は、前記第１の電源線と電気的に接続され、
前記第１７のトランジスタのソース又はドレインの他方は、第８の配線と電気的に接続され、
前記第１８のトランジスタのソース又はドレインの一方は、前記第２の電源線と電気的に接続され、
前記第１８のトランジスタのソース又はドレインの他方は、前記第８の配線と電気的に接続され、
前記第１９のトランジスタのソース又はドレインの一方は、前記第１７のトランジスタのゲートと電気的に接続され、
前記第１９のトランジスタのゲートは、前記第２の配線と電気的に接続され、
前記第２０のトランジスタのソース又はドレインの一方は、前記第２の電源線と電気的に接続され、
前記第２０のトランジスタのソース又はドレインの他方は、前記第１９のトランジスタのソース又はドレインの一方と電気的に接続され、
前記第２０のトランジスタのゲートは、第９の配線と電気的に接続され、
前記第２１のトランジスタのソース又はドレインの一方は、前記第３の配線と電気的に接続され、
前記第２１のトランジスタのソース又はドレインの他方は、前記第１８のトランジスタのゲートと電気的に接続され、
前記第２１のトランジスタのソース又はドレインの他方は、前記第９の配線と電気的に接続され、
前記第２２のトランジスタのソース又はドレインの一方は、前記第２の電源線と電気的に接続され、
前記第２２のトランジスタのソース又はドレインの他方は、前記第１８のトランジスタのゲートと電気的に接続され、
前記第２２のトランジスタのゲートは、前記第１９のトランジスタのソース又はドレインの一方と電気的に接続され、
前記第２３のトランジスタのソース又はドレインの一方は、前記第２１のトランジスタのゲートと電気的に接続され、
前記第２３のトランジスタのゲートは、前記第１の電源線と電気的に接続され、
前記第２４のトランジスタのソース又はドレインの一方は、前記第７の配線と電気的に接続され、
前記第２４のトランジスタのソース又はドレインの他方は、前記第２３のトランジスタのソース又はドレインの他方と電気的に接続され、
前記第２４のトランジスタのゲートは、前記第２の配線と電気的に接続され、
前記第１のトランジスタのＷ／Ｌ（Ｗはチャネル幅、Ｌはチャネル長）は、前記第３のトランジスタのＷ／Ｌよりも大きく、
前記第１のトランジスタのＷ／Ｌは、前記第４のトランジスタのＷ／Ｌよりも大きく、
前記第１のトランジスタのＷ／Ｌは、前記第５のトランジスタのＷ／Ｌよりも大きく、
前記第１のトランジスタのＷ／Ｌは、前記第６のトランジスタのＷ／Ｌよりも大きく、
前記第１のトランジスタのＷ／Ｌは、前記第７のトランジスタのＷ／Ｌよりも大きく、
前記第１のトランジスタのＷ／Ｌは、前記第８のトランジスタのＷ／Ｌよりも大きく、
前記第２のトランジスタのＷ／Ｌは、前記第４のトランジスタのＷ／Ｌよりも大きく、
前記第５のトランジスタのＷ／Ｌは、前記第８のトランジスタのＷ／Ｌよりも大きく、
前記第９のトランジスタのＷ／Ｌは、前記第１１のトランジスタのＷ／Ｌよりも大きく、
前記第９のトランジスタのＷ／Ｌは、前記第１２のトランジスタのＷ／Ｌよりも大きく、
前記第９のトランジスタのＷ／Ｌは、前記第１３のトランジスタのＷ／Ｌよりも大きく、
前記第９のトランジスタのＷ／Ｌは、前記第１４のトランジスタのＷ／Ｌよりも大きく、
前記第９のトランジスタのＷ／Ｌは、前記第１５のトランジスタのＷ／Ｌよりも大きく、
前記第９のトランジスタのＷ／Ｌは、前記第１６のトランジスタのＷ／Ｌよりも大きく、
前記第１０のトランジスタのＷ／Ｌは、前記第１２のトランジスタのＷ／Ｌよりも大きく、
前記第１３のトランジスタのＷ／Ｌは、前記第１６のトランジスタのＷ／Ｌよりも大きく、
前記第１７のトランジスタのＷ／Ｌは、前記第１９のトランジスタのＷ／Ｌよりも大きく、
前記第１７のトランジスタのＷ／Ｌは、前記第２０のトランジスタのＷ／Ｌよりも大きく、
前記第１７のトランジスタのＷ／Ｌは、前記第２１のトランジスタのＷ／Ｌよりも大きく、
前記第１７のトランジスタのＷ／Ｌは、前記第２２のトランジスタのＷ／Ｌよりも大きく、
前記第１７のトランジスタのＷ／Ｌは、前記第２３のトランジスタのＷ／Ｌよりも大きく、
前記第１７のトランジスタのＷ／Ｌは、前記第２４のトランジスタのＷ／Ｌよりも大きく、
前記第１８のトランジスタのＷ／Ｌは、前記第２０のトランジスタのＷ／Ｌよりも大きく、
前記第２１のトランジスタのＷ／Ｌは、前記第２４のトランジスタのＷ／Ｌよりも大きく、
前記画素は、少なくとも第２５のトランジスタと、第２６のトランジスタと、発光素子と、前記発光素子に流れる電流を供給する機能を有する配線と、を有し、
前記発光素子に電流を供給する機能を有する配線は、前記第２５のトランジスタのソース又はドレインの一方と電気的に接続され、
前記第２５のトランジスタのソース又はドレインの他方は、前記第２６のトランジスタのソース又はドレインの一方と電気的に接続され、
前記第２６のトランジスタのソース又はドレインの他方は、前記発光素子と電気的に接続され、
前記第２５のトランジスタのゲート又は前記第２６のトランジスタのゲートの一方は、前記第１の配線、前記第６の配線又は前記第８の配線と電気的に接続される表示装置。
【請求項１８】
請求項１６又は請求項１７において、
前記第１乃至第２６のトランジスタは、同じ極性である表示装置。